(57)【要約】      （修正有）【課題】コンクリート壁のモルタル面に亀裂が発生しにくいコンクリートパネル結合体を提供する。【解決手段】コンクリートパネル１，２が対向する１辺面でモルタル接合部３を介して結合されたコンクリートパネル結合体であって、表面及び裏面の一方から他方方向にモルタル接合部を含む部分に形成された孔４に、接合剤６とともに棒状金属５を埋設する。モルタル接合部に埋設された棒状金属によりコンクリートパネルの上下方向の移動が抑制され、表面に塗布される化粧モルタル８の亀裂の発生が阻止される。【選択図】図１
0003211449.tif 000002
【実用新案登録請求の範囲】
【請求項１】
表面、裏面及び４辺面で区画された所定厚さの方形コンクリートパネル２枚が対向する１辺面でモルタル接合部を介して結合されたコンクリートパネル結合体であって、
前記表面及び上記裏面の一方から他方方向に前記モルタル接合部を含む部分に形成された孔に接合材とともに埋設された棒状金属を設けたことを特徴とするコンクリートパネル結合体。
【請求項２】
前記孔は一方の前記コンクリートパネルから前記モルタル接合部を貫通して他方の前記コンクリートパネルに伸びている請求項１記載のコンクリートパネル結合体。
【請求項３】
前記孔は前記モルタル接合部に沿って延びている請求項１記載のコンクリートパネル結合体。
【請求項４】
一方の前記コンクリートパネルの前記１辺面はその厚さ方向の中央部に長手方向に延びる溝状凹部を有し、他方の前記コンクリートパネルの前記１辺面は前記溝状凹部に型対象の長手方向に延びる凸状部を持つ請求項１〜３の内の１項に記載のコンクリートパネル結合体。
【考案の詳細な説明】
【技術分野】
【０００１】
本考案は、鉄骨構造あるいはコンクリート構造の建築物の外壁、内壁等のコンクリートパネル壁、特に隣り合う柱の間及びそれら柱の間をつなぐ梁と床の間に設けられるコンクリートパネル壁を構成するコンクリートパネル結合体に関する。
【背景技術】
【０００２】
コンクリートパネルは表面、裏面及び４辺面で区画された６面体からなる所定厚さの方形形状であり、コンクリートパネル壁はこれら複数個のコンクリートパネルを左右方向に配列し、隣り合うコンクリートパネルの互いに対向する辺面間にモルタルを介して一体的に結合したものを主体としている。このコンクリート壁は、壁表面の美的性状を高めるため、その表面にモルタルや石膏を塗布している。
【考案の概要】
【考案が解決しようとする課題】
【０００３】
このコンクリートパネル壁を持つ建築物が長期に渡って使用されると風とか梁、床に作用する荷重等の力により建築物が撓み、コンクリート壁のモルタル面に亀裂が発生することがある。本考案はコンクリート壁のモルタル面に亀裂が発生しにくいコンクリートパネル結合体を提供することを目的とする。
【課題を解決するための手段】
【０００４】
コンクリート壁のモルタル面の亀裂は建築物の撓みにより隣接するコンクリートパネルが上下方向にずれることにより発生するものと考えた。そしてこの隣接するコンクリートパネルの上下方向のずれを隣接する２枚のコンクリートパネルの間にあるモルタル接合部を含む部分に金属棒を介在させることによりずれを抑制できると考え、本考案を完成したものである。
【０００５】
即ち、本考案のコンクリートパネル結合体は、表面、裏面及び４辺面で区画された所定厚さの方形コンクリートパネル２枚が対向する１辺面でモルタル接合部を介して結合されたコンクリートパネル結合体であって、上記表面及び上記裏面の一方から他方方向に前記モルタル接合部を含む部分に形成された孔に接合材とともに埋設された棒状金属を設けたことを特徴とする。本考案のコンクリートパネル結合体はモルタル接合部に埋設された棒状金属によりコンクリートパネルの上下方向の移動が抑制され表面に塗布される化粧モルタルなどの亀裂の発生が阻止される。
【０００６】
本考案のコンクリートパネル結合体を構成するコンクリートパネルは、表面、裏面及び４辺面で区画された６面体からなる所定厚さの方形形状のものである。コンクリートパネルの上下方向に延びる相背向する一方の辺面はその厚さ方向の中央部に長手方向に延びる溝状凹部を有し、他方の辺面は溝状凹部に型対象の長手方向に延びる凸状部を持つものであるのが好ましい。かかるコンクリートパネルでは隣り有って結合された２枚のコンクリートパネルは溝状凹部と凸状部とが噛み合った状態で結合している、このため２枚のコンクリートパネルの表面と裏面を結ぶ厚さ方向の相対変位が阻止されコンクリートパネル結合体の一体性保持に優れている。
【０００７】
またコンクリートパネルはその厚さ方向の中央部に上下方向に貫通する複数個の貫通孔を持つものが軽量であるため好ましい。さらには、セメント、軽量骨材、砂、石炭灰等を主成分として複数のスクリューを持つ押し出し成形機により成形された軽量コンクリートパネルが好ましい。
【０００８】
本考案のコンクリートパネル結合体を構成するモルタル接合部は隣合うコンクリートパネル同士を一体的に接合する部材で、一のコンクリートパネルに他のコンクリートパネルを組み付ける際にその間に介在させ、両側のコンクリートパネルで挟持された状態で固化したものである。
【０００９】
本考案で言うモルタルとはセメント、砂、水からなるモルタルでも良いし、そのモルタルに適宜接着剤を添加したものでも良い。
【００１０】
モルタル接合部を含む部分に形成される孔は表面及び裏面の一方から他方方向に形成されている。この孔は一方のコンクリートパネルからモルタル接合部を貫通して他方のコンクリートパネルに伸びている厚さ方向に対して斜め方向に延びるものとすることができる。またこの孔はモルタル接合部に沿って延びているものとすることができる。孔の断面はモルタル接合部の厚さより大きいものであるのが好ましい。また、孔はパネルの上下方向に延びるモルタル接合部に複数個設けることができる。
【００１１】
本考案のコンクリートパネル結合体を構成する棒状金属は鉄棒を使用できる。またこの棒状金属を孔内に固定する結合材としてはモルタル、エポキシ樹脂等の有機物接合剤を使用できる。
【００１２】
本考案のコンクリートパネル結合体は、まず従来と同様に、例えば、建築物の一方の柱及び床面に第１のコンクリートパネルの側辺と下辺をセメントモルタルを介して固定する。その後、第１のコンクリートパネルの他の側辺と床面に第２のコンクリートパネルをセメントモルタルを介して固定する。このようにして必要な数のコンクリートパネルを従来と同様に固定してコンクリート壁を構築する。本考案のコンクリートパネル結合体はできあがったコンクリート壁を構成する隣合う２個のコンクリートパネルを用いて形成される。ここで、隣接する２枚の相対向する側面に挟持されて両者を固定するモルタルが本発明のモルタル接合部に相当する。このモルタル接合部に一面（表面）から他面（裏面）方向にドリルで孔を形成する。その孔に接合剤を入れた状態で棒状金属を押し込み接合剤を固化して棒状金属を埋設する。これにより本考案のコンクリートパネル結合体は完成する。
【００１３】
形成する孔は底のあるものが好ましい。またコンクリートパネルに軽量化のための上下方向に延びる貫通孔を持つものでは、孔がこの貫通孔に開口するものでないのが好ましい。孔に底が開口したり孔の内壁に開口がある場合は接合剤がこれら開口から漏れ出し接合が不十分になることがある。
【考案の効果】
【００１４】
本考案のコンクリートパネル結合体は隣りあう２枚のコンクリートパネルを一体的に結合するモルタル接合部を含む部分に一方の面から他方の面の方向に延びる棒状金属が埋設されている。この棒状金属が隣りあう２枚のコンクリートパネルの上下方向の相対移動（ずれ）を阻止する。このため、コンクリートパネル壁の一体性が維持され壁面に形成された化粧モルタルに亀裂が入りにくい。またモルタル接合部への孔の形成及び棒状金属の埋設がコンクリート壁の一面（表面）からの工事で可能であり、作業が容易である利点がある。
【図面の簡単な説明】
【００１５】
【図１】実施例のコンクリートパネル結合体の要部断面図である。
【図２】実施例のコンクリートパネル結合体の施工過程における要部断面図である。
【図３】実施例のコンクリートパネル結合体に使用されたコンクリートパネルの斜視図である。
【図４】他の実施形態のコンクリートパネル結合体の施工過程における要部断面図である。
【実施例】
【００１６】
以下、本考案を具体化した実施例を図面を参照しつつ説明する。
【００１７】
本考案のコンクリートパネル結合体の要部断面を図１に示す。このコンクリートパネル結合体は第１のコンクリートパネル１と第２のコンクリートパネル２とモルタル接合部３と孔４と鉄棒５と接合剤６と繊維補強シート７と化粧モルタル８とで構成されている。コンクリートパネル１（２）は、図３にその斜視図を示すように高さ約３ｍ、横幅約０．６ｍ、厚さ７．５ｃｍの６面体状の軽量コンクリートパネルで、セメント、軽量骨材、砂、石炭灰等を主成分として複数のスクリューを持つ押し出し成形機により成形されたものである。このコンクリートパネル１（２）は、上下方向に延びる７個の貫通孔１０とを持つ。また、その１側辺は表面及び裏面側に切欠け１３，１４を有するとともに厚さ方向の中央部に上下方向に延びる凸状部１５を持つ。この１側辺と背向する他の側辺は切欠け１３，１４と同じ切欠け１６，１７と厚さ方向の中央部に上下方向に延びる溝状凹部１８を持つ。この凸状部１５と溝状凹部１８は型対象となっている。
【００１８】
モルタル接合部３は第１のコンクリートパネル１に第２のコンクリートパネル２を組み付ける際に使用したセメントモルタルが固化したもので、第１のコンクリートパネル１と第２のコンクリートパネル２とを一体的に結合している。
【００１９】
孔４は、図２に示すように、繊維補強シート７及び化粧モルタル８を形成する前に第２コンクリートパネル２の表面から斜め方向ドリルで開けたものである。この孔４はモルタル接合部４の中程を貫通し第１のコンクリートパネル１の裏面の近くまで達する有底穴である。
【００２０】
鉄棒５は孔４より少し細い丸棒で、予め孔４内に挿入されたペースト状の合成樹脂接着剤を孔４内に押し込むように孔４に挿入されたものである。接合剤が固化して接合剤６となり鉄棒５を孔４内に堅く固定している。
【００２１】
鉄棒５が固定された後、切欠け１３と切欠け１６で形成される浅い溝部に繊維補強シート７が接着剤で貼り付けられ、さらにその後でコンクリートパネル１，２の表面及び繊維補強シート７の上にセメントモルタルが塗布され化粧モルタル８としてパネル壁の表面の美観を高めている。
【００２２】
なお、本実施例では繊維補強シート７及び化粧モルタル８はコンクリートパネル１，２の表面のみに形成している。しかし部屋の間仕切り壁のようにコンクリートパネル１，２の表面及び裏面の両面に繊維補強シート７及び化粧モルタル８を形成するのは当然である。
【００２３】
本実施例のコンクリートパネル結合体は、埋設された鉄棒５が隣合う第１のコンクリートパネル１と第２のコンクリートパネル２とをモルタル接合部４を介して一体的に固定しているためコンクリートパネルの上下方向の相対的ずれを阻止して両コンクリートパネルの一体性を高めている。このため長期間に渡り化粧モルタル８の亀裂の発生を抑制できる。
【００２４】
本実施例では鉄棒５は１本のみを有するものとしたが、その上或いは下に第２，第３等の複数個の鉄棒を設けることもできる。
【００２５】
また、図４に示すように孔はモルタル接合部に沿ってコンクリートパネルの表面と垂直方向に延びる孔４０でも良い。この場合、鉄棒５０は隣合う２個のコンクリートパネルの間に位置するように固定される。この状態でも鉄棒５０は２個のコンクリートパネルの上下方向の相対移動を効果的に阻止でき、２個のコンクリートパネルの一体性を高め、化粧モルタルの亀裂の発生を抑制する。
【符号の説明】
【００２６】
１…第１のコンクリートパネル        ２…第２のコンクリートパネル
３…モルタル接合部      ４…孔        ５…鉄棒      ６…接合剤
７…繊維補強シート      ８…化粧モルタル
１３，１４，１６，１７…切欠け    １５…凸状部    １８…溝状凹部
４０…孔      ５０…鉄棒
【図１】
0003211449.tif 000003
【図２】
0003211449.tif 000004
【図３】
0003211449.tif 000005
【図４】
0003211449.tif 000006